(57)【要約】【課題】入力信号の種別にかかわらず容易に対応することができる抵抗モジュール、及びＡ／Ｄ変換装置を提供する。【解決手段】この発明による抵抗モジュールは、抵抗器と、抵抗器の両端子に夫々接続された入力側コネクタと、抵抗器の両端子に夫々接続された出力側コネクタとを備え、入力側コネクタは、外線コネクタケーブルに直接若しくは間接的に着脱自在に接続可能に構成され、出力側コネクタは、Ａ／Ｄ変換装置の入力側コネクタに直接若しくは間接的に着脱自在に接続可能に構成され、この発明によるＡ／Ｄ変換装置は、前記抵抗モジュールの出力側コネクタに直接若しくは間接的に接続可能に構成された入力側コネクタ備えたものである。【選択図】図１
2011172062.tif 000002
【特許請求の範囲】
【請求項１】
アナログ信号とデジタル信号との間の信号変換を行うＡ／Ｄ変換装置の入力側コネクタに接続される抵抗モジュールであって、
抵抗器と、
前記抵抗器の両端子に夫々接続された入力側コネクタと、
前記抵抗器の両端子に夫々接続された出力側コネクタと、
を備え、
前記入力側コネクタは、前記Ａ／Ｄ変換装置に接続されるべき外線コネクタケーブルに、直接若しくは間接的に着脱自在に接続可能に構成され、
前記出力側コネクタは、前記Ａ／Ｄ変換装置の前記入力側コネクタに、直接若しくは間接的に着脱自在に接続可能に構成されている、
ことを特徴とする抵抗モジュール。
【請求項２】
前記Ａ／Ｄ変換装置に着脱可能に接続される第１のコネクタと前記抵抗モジュールの前記出力側コネクタに着脱可能に接続される第２のコネクタとを有するコネクタケーブルを介して、前記Ａ／Ｄ変換装置に着脱自在に接続され得るように構成されたことを特徴とする請求項１に記載の抵抗モジュール。
【請求項３】
前記抵抗モジュールの入力側コネクタは、前記外線コネクタケーブルに設けられたコネクタに直接、着脱自在に接続可能に構成されている、
ことを特徴とする請求項２に記載の抵抗モジュール。
【請求項４】
前記抵抗モジュールの入力側コネクタは、前記外線コネクタケーブルに、直接若しくは間接的に着脱自在に接続可能に構成され、
前記抵抗モジュールの出力側コネクタは、前記Ａ／Ｄ変換装置の入力側コネクタに直接、着脱自在に接続可能に構成されている、
ことを特徴とする請求項１に記載の抵抗モジュール。
【請求項５】
前記抵抗モジュールの入力側コネクタは、前記外線コネクタケーブルに設けられたコネクタに直接、着脱自在に接続可能に構成され、
前記抵抗モジュールの出力側コネクタは、前記Ａ／Ｄ変換装置の入力側コネクタに直接、着脱自在に接続可能に構成されている、
ことを特徴とする請求項１に記載の抵抗モジュール。
【請求項６】
前記抵抗器は、複数設けられ、
前記入力側コネクタは、前記複数の抵抗器の両端子に夫々接続され、
前記出力側コネクタは、前記複数の抵抗器の両端子に夫々接続されている
ことを特徴とする請求項１乃至５のうちの何れか一項に記載の抵抗モジュール。
【請求項７】
前記抵抗器と前記抵抗モジュールの前記入力側コネクタと前記出力側コネクタとが基板に一体に装着されてカード状に構成されていることを特徴とする請求項１乃至６のうちの何れか一項に記載の抵抗モジュール。
【請求項８】
前記抵抗器を開閉し得るスイッチを備えたことを特徴とする請求項１乃至７のうちの何れか一項に記載の抵抗モジュール。
【発明の詳細な説明】
【技術分野】
【０００１】
この発明は、Ａ／Ｄ変換装置に着脱自在に接続するようにした抵抗モジュールに関するものである。
【背景技術】
【０００２】
周知のように、所謂シーケンス制御装置と称されるプログラマブルロジックコントローラ（Programmable Logic Controller：以下、ＰＬＣと称する）は、マイクロプロセッサ
等のコンピュータを備え、このコンピュータにより、入力側に接続された各種のセンサやスイッチ等からの信号に基づいて出力側に接続されたモータ等の被制御機器を制御する。ＰＬＣに入力される各種センサやスイッチ等からの信号は一般的にはアナログ信号であり、このアナログ信号をデジタル信号に変換してコンピュータに入力するためのＡ／Ｄ変換装置がＰＬＣに設けられる。
【０００３】
前述のＡ／Ｄ変換装置に接続された各種センサやスイッチ等から出力されるアナログ信号は、電圧信号である場合もあれば電流信号である場合もある。従って、センサやスイッチ等からのアナログ信号が電流信号である場合、この電流信号は、電圧信号に変換する信号変換装置を介してＡ／Ｄ変換装置に入力される。
【０００４】
従来、電圧専用のＡ／Ｄ変換装置に入力されるアナログ信号が電流信号である場合、Ａ／Ｄ変換装置の入力回路の途中に、抵抗器を備えた中継端子台を接続し、この中継端子台の抵抗器により電流信号を電圧信号に変換してＡ／Ｄ変換装置に入力するようにしていた（例えば、特許文献１参照）。
【０００５】
即ち、従来の装置の場合、図６に示すように、外線コネクタケーブル９１、・・・９ｎから送信されるアナログ信号が電流信号である場合には、抵抗器３１、・・・３ｎを備えた中継端子台２１、・・・２ｎを、夫々の外部導体９１、・・・９ｎとＡ／Ｄ変換装置５の入力側コネクタ５１１、・・・５ｎ１との間に設置し、夫々の電流信号を抵抗器３１、・・・３ｎにより電圧信号に変換してＡ／Ｄ変換装置５に入力するようにしている。尚、図６に於いて、５１、・・・５ｎはＡ／Ｄ変換回路、５１２、・・・５ｎ２は増幅回路である。
【先行技術文献】
【特許文献】
【０００６】
【特許文献１】特開平１１−２０５１４６号公報
【発明の概要】
【発明が解決しようとする課題】
【０００７】
前述のような従来の装置の場合、入力信号の種別を電流信号から電圧信号に途中変更する場合には、抵抗器を備えた中継端子台から抵抗器を備えない中継端子台に変更し、又、入力信号を電圧信号から電流信号に変更する場合には、逆に、抵抗器を備えない中継端子台から抵抗器を備えた中継端子台に変更する等、入力信号の種別変更の度に、ハードウェアの変更が必要であり、又、ＰＬＣの盤内等に中継端子台を設置するためのスペースが必要であった。
【０００８】
この発明は、従来の装置に於ける前述のような課題を解決するためになされたものであり、入力信号の種別にかかわらずＡ／Ｄ変換装置を容易に対応させることができる抵抗モジュールを提供することを目的としたものである。
【課題を解決するための手段】
【０００９】
この発明による抵抗モジュールは、アナログ信号とデジタル信号との間の信号変換を行うＡ／Ｄ変換装置の入力側コネクタに接続される抵抗モジュールであって、抵抗器と、前記抵抗器の両端子に夫々接続された入力側コネクタと、前記抵抗器の両端子に夫々接続された出力側コネクタと、前記抵抗器と前記入力側コネクタと前記出力側コネクタとを装着した基板とを備え、前記入力側コネクタは、前記Ａ／Ｄ変換装置に接続されるべき外線コネクタケーブルに、直接若しくは間接的に着脱自在に接続可能に構成され、前記出力側コネクタは、前記Ａ／Ｄ変換装置の前記入力側コネクタに、直接若しくは間接的に着脱自在に接続可能に構成されたことを特徴とするものである。
ものである。
【発明の効果】
【００１０】
この発明による抵抗モジュールによれば、抵抗器と、前記抵抗器の両端子に夫々接続された入力側コネクタと、前記抵抗器の両端子に夫々接続された出力側コネクタと、前記抵抗器と前記入力側コネクタと前記出力側コネクタとを装着した基板とを備え、前記入力側コネクタは、前記Ａ／Ｄ変換装置に接続されるべき外線コネクタケーブルに、直接若しくは間接的に着脱自在に接続可能に構成され、前記出力側コネクタは、前記Ａ／Ｄ変換装置の前記入力側コネクタに、直接若しくは間接的に着脱自在に接続可能に構成されているので、入力信号の種別にかかわらずＡ／Ｄ変換装置を容易に対応させることができ、且つＰＬＣ等の筺体内の設置スペースの大幅な縮小を図ることができる。
【図面の簡単な説明】
【００１１】
【図１】この発明の実施の形態１による抵抗モジュールと、この抵抗モジュールを接続したＡ／Ｄ変換装置を示す構成図である。
【図２】この発明の実施の形態２による抵抗モジュールと、この抵抗モジュールを接続したＡ／Ｄ変換装置を示す構成図である。
【図３】この発明の実施の形態３による抵抗モジュールと、この抵抗モジュールを接続したＡ／Ｄ変換装置を示す構成図である。
【図４】この発明の実施の形態４による抵抗モジュールと、この抵抗モジュールを接続したＡ／Ｄ変換装置を示す構成図である。
【図５】この発明の実施の形態５による抵抗モジュールと、この抵抗モジュールを接続したＡ／Ｄ変換装置を示す構成図である。
【図６】従来の中継端子台及びＡ／Ｄ変換装置を示す構成図である。
【発明を実施するための形態】
【００１２】
以下、この発明の実施の形態１乃至５による抵抗モジュールについて、ＰＬＣに適用した場合について夫々図に基づいて詳細に説明する。尚、この発明による抵抗モジュールは、ＰＬＣへの適用に限られるものではない。又、この発明の実施の形態１乃至５に於ける図１乃至５、及び前述の従来の装置を示す図６に於いて、同一符号は、夫々同一若しくは相当部分を示す。
【００１３】
実施の形態１．
図１はこの発明の実施の形態１による抵抗モジュールと、この抵抗モジュールを接続したＡ／Ｄ変換装置を示す構成図であり、例えばＰＬＣの盤内に装着される。図１に於いて、一点鎖線の右側であるＰＣＬの筺体内１００には、Ａ／Ｄ変換装置としてのＡ／Ｄ変換カード５と、抵抗モジュール６とが装着されている。
【００１４】
Ａ／Ｄ変換カード５は、基板５０に複数の電圧入力専用のＡ／Ｄ変換回路５１、・・・５ｎと、複数の増幅回路５１２、・・・５ｎ２等の回路部品が実装されている。基板５０
の一方の側端部には、夫々のＡ／Ｄ変換回路５１、・・・５ｎの入力側に夫々増幅回路５１２、・・・５ｎ２を介して接続された入力側コネクタ５１１、・・・５ｎ１５が設けられている。尚、夫々のＡ／Ｄ変換回路５１、・・・５ｎ、増幅回路５１２、・・・５ｎ２等の回路部品は、基板５０に集積回路として形成されていても良い。
【００１５】
抵抗モジュール６は、基板６０に複数の抵抗器３１、・・・３ｎが実装されてカード状に形成されている。この抵抗モジュール６は、従来の中継端子台に設けられている抵抗器と同等の抵抗値を有する抵抗器３１、・・・３ｎを実装してモジュール化したものである。夫々の抵抗器３１、・・・３ｎは、Ａ／Ｄ変換カード５のＡ／Ｄ変換回路５１、・・・５ｎに夫々対応した抵抗値を備えている。夫々の抵抗器３１、・・・３ｎの両端子に接続された入力側コネクタ３１１、・・・３ｎ１は、基板６０の一方の側端部に設けられ、又、夫々の抵抗器３１、・・・３ｎの両端子に接続された出力側コネクタ３１２、・・・３ｎ２は、基板６０の他方の側端部に設けられている。
【００１６】
抵抗モジュール６の夫々の入力側コネクタ３１１、・・・３ｎ１は、筺体内１００に設けられたリード導体４１、・・・４ｎに着脱自在に接続され、夫々のリード導体４１、・・・４ｎは、筺体の外側に存在する外線コネクタケーブル９１、・・・９ｎに接続されている。外線コネクタケーブル９１、・・・９ｎは、各種センサやスイッチ等（図示せず）に接続され、これらのセンサの検出値に対応するアナログ信号、或いはスイッチの開閉状態を示すアナログ信号が送信されてくる。今、これらのアナログ信号は、全て電流信号であるとする。
【００１７】
一端に第１のコネクタ７１を備え他端に第２のコネクタ７２を備えたコネクタケーブル７は、Ａ／Ｄ変換カード５と抵抗モジュール６とを接続するために設けられた専用のコネクタケーブルである。コネクタケーブル７の第１のコネクタ７１は、Ａ／Ｄ変換カード５の夫々の入力側コネクタ５１１、・・・５ｎ１に着脱自在に接続され、第２のコネクタ７２は、抵抗モジュール６の夫々の出力側コネクタ３１２、・・・３ｎ１に着脱自在に接続される。
【００１８】
前述のＡ／Ｄ変換カード５は、ＰＣＬ等の筺体内１００の所定スペースに差し込まれ、その出力側がマイクロプロセッサ等のコンピュータ（図示せず）の入力側に接続される。Ａ／Ｄ変換カード５の入力側コネクタ５１１、・・・５ｎ１は、コネクタケーブル７の第１のコネクタ７１に一括して接続される。
【００１９】
又、この発明の実施の形態１による抵抗モジュール６は、その出力側コネクタ３１２、・・・３ｎ２が一括してコネクタケーブル７の第２のコネクタ７２に接続され、筺体内１００に設置される。抵抗モジュール６の入力側コネクタ３１１、・・・３ｎ１は、着脱自在にリード導体４１、・・・４ｎに接続され、このリード導体４１、・・・４ｎ１を介して外線コネクタケーブル９１、・・・９ｎに接続される。尚、コネクタケーブル７を筐体内１００から筐体外へ導出し、抵抗モジュール６を筐体外に設置するようにしても良い。
【００２０】
前述したように、各種のセンサやスイッチ等から外線コネクタケーブル９１、・・・９１ｎに送出されるアナログ信号は、この実施の形態１では全て電流信号であり、これらの電流信号は、筺体内１００のリード導体４１、・・・４ｎを介して抵抗モジュール６の入力側コネクタ３１１、・・・３ｎ１に電流入力として与えられる。この入力された電流信号が対応する夫々の抵抗器３１、・・・３ｎに流れることにより、抵抗器３１、・・・３ｎの夫々の両端間にその電流値と抵抗器の抵抗値とに基づく電位差が発生する。従って、抵抗モジュール６に入力された夫々の電流信号は、電圧信号に変換されて抵抗モジュール６の出力側コネクタ３１２、・・・３ｎ２から出力される。抵抗モジュール６の出力側コネクタ３１２、・・・３ｎ２から出力された電圧信号は、コネクタケーブル７を介してＡ／Ｄ変換カード５の入力側コネクタ５１１、・・・５ｎ１に入力される。
【００２１】
Ａ／Ｄ変換カード５の入力側コネクタ５１１、・・・５ｎ１に入力された電圧信号は、夫々対応する増幅回路５１２、・・・５ｎ２により増幅されてＡ／Ｄ変換回路５１、・・・５ｎに入力され、デジタル信号に変換され、マイクロプロセッサ等のコンピュータに入力される。
【００２２】
ここで、前述の各種のセンサやスイッチ等から外線コネクタケーブル９１、・・・９１ｎに送出されるアナログ信号が、全て電圧信号であるとすれば、抵抗モジュール６は不要である。そこでこの場合には、外線コネクタケーブル９１、・・・９ｎはＡ／Ｄ変換カード５の入力側コネクタ５１１、・・・５ｎ１に直接接続される。
【００２３】
以上述べたこの発明の実施の形態１による抵抗モジュールによれば、Ａ／Ｄ変換カード５と抵抗モジュール６とは、コネクタケーブル７により接続される構成とされているため、従来の中継端子台のように、中継端子台を固定するネジの締め付けトルクの管理や、施工時の中継端子台の破損といった障害を回避できる。また施工時間の短縮を行うことが可能となる。
【００２４】
実施の形態２．
図２は、この発明の実施の形態２による抵抗モジュールと、この抵抗モジュールを接続したＡ／Ｄ変換装置を示す構成図である。図２に於いて、抵抗モジュール６Ａは、基板６０に、複数個の抵抗器３１、・・・３ｎと、これらの抵抗器３１、・・・３ｎに夫々直列接続されこれらの抵抗器を夫々開閉し得る複数個のスイッチ８１、・・・８ｎとが実装されてカード状に形成されている。この抵抗モジュール６Ａは、従来の中継端子台に設けられている抵抗器と同等の抵抗値を有する抵抗器３１、・・・３ｎと、スイッチ８、・・・８ｎとを実装してモジュール化したものである。
【００２５】
夫々の抵抗器３１、・・・３ｎは、Ａ／Ｄ変換カード５のＡ／Ｄ変換回路５１、・・・５ｎに夫々対応して設けられている。夫々の抵抗器３１、・・・３ｎの両端子に接続された入力側コネクタ３１１、・・・３ｎ１は、基板６０の一方の側端部に設けられ、又、夫々の抵抗器３１、・・・３ｎの両端子に接続された出力側コネクタ３１２、・・・３ｎ２は、基板６０の他方の側端部に設けられている。スイッチ８、・・・８ｎは、機械式スイッチであっても良いし、半導体スイッチであっても良い。スイッチ８、・・・８ｎを半導体スイッチとした場合は、抵抗器３、・・・３ｎと共に基板６０に集積回路化することができる。
【００２６】
抵抗モジュール６Ａの入力側コネクタ３１１、・・・３ｎ１は、筺体内１００に設けられたリード導体４１、・・・４ｎに接続され、夫々のリード導体４１、・・・４ｎは、筺体の外側に存在する外線コネクタケーブル９１、・・・９ｎに接続されている。
【００２７】
Ａ／Ｄ変換カード５、コネクタケーブル７、リード導体４１、・・・４ｎ、外線コネクタケーブル９１、・・・９ｎは、実施の形態１の場合と同様である。
【００２８】
今、各種のセンサやスイッチ等から外線コネクタケーブル９１、・・・９１ｎに送信されるアナログ信号は、全て電流信号であるとすれば、抵抗モジュール６Ａの全てのスイッチ８、・・・８ｎをオンとする。これにより、入力側コネクタ３１１、・・・３ｎ１に入力された夫々の電流信号は、対応する夫々の抵抗器３１、・・・３ｎに流れることによりそれらの電流値と対応する抵抗器の抵抗値とに基づく電圧信号に変換され、出力側コネクタ３１２、・・・３ｎ２から出力される。
【００２９】
このようにして電流信号から電圧信号に変換されたアナログ信号は、実施の形態１の場合と同様にしてＡ／Ｄ変換カード５のＡ／Ｄ変換回路５１、・・・５ｎによりデジタル信号に変換され、マイクロプロセッサ等のコンピュータに入力される。
【００３０】
一方、各種のセンサやスイッチ等から外線コネクタケーブル９１、・・・９１ｎに送出されるアナログ信号のうち、一部のアナログ信号が電流信号であり、他のアナログ信号が電圧信号であるとすれば、抵抗モジュール６Ａのスイッチ８、・・・８ｎのうち電流信号が入力される入力側コネクタに接続されたスイッチのみをオンとし、電圧信号が入力される入力側コネクタに接続されたスイッチをオフとする。
【００３１】
その結果、抵抗モジュール６Ａの入力側コネクタに入力された電流信号は、オンとされたスイッチを介して抵抗器により電圧信号に変換されて抵抗モジュール６Ａの出力側コネクタから電圧信号として出力される。一方、抵抗モジュール６Ａの入力側コネクタに入力された電圧信号は、スイッチがオフとされているので抵抗器を介することなくそのまま抵抗モジュール６Ａの出力側コネクタから出力される。
【００３２】
抵抗モジュール６Ａの出力側コネクタ３１２、・・・３ｎ２から出力された電圧信号は、コネクタケーブル７を介してＡ／Ｄ変換カード５の入力側コネクタ５１１、・・・５ｎ１に入力され、前述の実施の形態１の場合と同様に、Ａ／Ｄ変換カード５のＡ／Ｄ変換回路５１、・・・５ｎによりデジタル信号に変換され、マイクロプロセッサ等のコンピュータに入力される。
【００３３】
一方、外線コネクタケーブル９１、・・・９ｎから送信されるアナログ信号が全て電圧信号であるとすれば、抵抗モジュール６Ａの全てのスイッチ８１、・・・８ｎをオフとする。これにより、抵抗モジュール６Ａの入力側コネクタ３１１、・・・３ｎ１に入力された電圧信号は、そのまま出力側コネクタ３１２、・・・３ｎ２から出力される。
【００３４】
以上述べたように、この発明の実施の形態２によれば、実施の形態１の場合と同様に、Ａ／Ｄ変換カード５と抵抗モジュール６Ａとはコネクタケーブル７により接続される構成とされているため、従来の中継端子台のように、中継端子台を固定するネジの締め付けトルクの管理や、施工時の中継端子台の破損といった障害を回避できる。また施工時間の短縮を行うことが可能となる。
【００３５】
更に、抵抗モジュール６Ａには、抵抗器３１、・・・３ｎに直列にこれらの抵抗器の接続、遮断を行うスイッチ８１、・・・８ｎを設けていので、外線コネクタケーブル９１、・・・９ｎから入力されるアナログ信号の種別、即ち電流信号であるか電圧信号であるかに応じてこのスイッチをオン、若しくはオフとすることにより、抵抗モジュール６Ａの出力側コネクタから全て電圧信号として出力することができ、これにより２種類の信号種別のアナログ信号を１個の抵抗モジュール及び１個のＡ／Ｄ変換カードによりデジタル信号に変換することができる。
【００３６】
実施の形態３．
図３は、この発明の実施の形態３による抵抗モジュールと、この抵抗モジュールを接続したＡ／Ｄ変換装置を示す構成図である。図３に於いて、抵抗モジュール６Ｂの出力側コネクタ３１３、・・・３ｎ３は、Ａ／Ｄ変換カード５の入力側コネクタ５１１、・・・５ｎ１に直接、着脱自在に接続可能に構成されている。従って、実施の形態１及び実施の形態２の場合のようにコネクタケーブル７を使用する必要はない。その他の構成、及び動作は実施の形態２と同様である。
【００３７】
この実施の形態３によれば、抵抗モジュール６Ｂには、抵抗器３１、・・・３ｎに直列
にこれらの抵抗器の接続、遮断を行うスイッチ８１、・・・８ｎを設けていので、外線コネクタケーブル９１、・・・９ｎから入力されるアナログ信号の種別、即ち電流信号であるか電圧信号であるかに応じてこのスイッチをオン、若しくはオフとすることにより、抵抗モジュール６Ｂの出力側コネクタから全て電圧信号として出力することができ、これにより２種類の信号種別のアナログ信号を１個の抵抗モジュール６Ｂ及び１個のＡ／Ｄ変換カード５によりデジタル信号に変換することができる。又、コネクタケーブルを省略することができるので、コストダウン及び省スペース化を図ることができる。
【００３８】
実施の形態４．
図４は、この発明の実施の形態４による抵抗モジュールと、この抵抗モジュールを接続したＡ／Ｄ変換装置を示す構成図である。図４に於いて、抵抗モジュール６Ｃの入力側コネクタ３１４、・・・３ｎ４は、外線コネクタケーブル９１、・・・９ｎに設けられた外線コネクタ９０に直接、着脱自在に接続可能に構成されている。又、抵抗モジュール６Ｃの出力側コネクタ３１２、・・・３ｎ２は、コネクタケーブル７の第２のコネクタ７２に着脱自在に接続可能に構成されている。
【００３９】
Ａ／Ｄ変換カード５の入力側コネクタ５１１、・・・５ｎ１は、実施の形態１の場合と同様に、コネクタケーブル７の第１のコネクタ７１に着脱自在に接続されている。その他の構成、及び動作は実施の形態３と同様である。
【００４０】
この実施の形態４によれば、実施の形態２の場合と同様に、抵抗モジュール６Ｃには、抵抗器３１、・・・３ｎに直列にこれらの抵抗器の接続、遮断を行うスイッチ８１、・・・８ｎを設けていので、外線コネクタケーブル９１、・・・９ｎから入力されるアナログ信号の種別、即ち電流信号であるか電圧信号であるかに応じてこのスイッチをオン、若しくはオフとすることにより、抵抗モジュール６Ｃの出力側コネクタから全て電圧信号として出力することができ、これにより２種類の信号種別のアナログ信号を１個の抵抗モジュール６Ｃ及び１個のＡ／Ｄ変換カード５によりデジタル信号に変換することができる。又、外線コネクタケーブル９１、・・・９ｎと抵抗モジュール６Ｃとの間のリード導体を省略することができるので、コストダウン及び省スペース化を図ることができる。
【００４１】
実施の形態５．
図５は、この発明の実施の形態５による抵抗モジュールと、この抵抗モジュールを接続したＡ／Ｄ変換装置を示す構成図である。図５に於いて、抵抗モジュール６Ｄの入力側コネクタ３１４、・・・３ｎ４は、外線コネクタケーブル９１、・・・９ｎに設けられた外線コネクタ９０に直接、着脱自在に接続可能に構成されている。又、抵抗モジュール６Ｄの出力側コネクタ３１３、・・・３ｎ３は、Ａ／Ｄ変換カード５の入力側コネクタ５１１、・・・５ｎ１に直接、着脱自在に接続可能に構成されている。その他の構成、及び動作は実施の形態４と同様である。
【００４２】
この実施の形態５によれば、実施の形態２の場合と同様に、抵抗モジュール６Ｄには、抵抗器３１、・・・３ｎに直列にこれらの抵抗器の接続、遮断を行うスイッチ８１、・・・８ｎを設けていので、外線コネクタケーブル９１、・・・９ｎから入力されるアナログ信号の種別、即ち電流信号であるか電圧信号であるかに応じてこのスイッチをオン、若しくはオフとすることにより、抵抗モジュール６Ｃの出力側コネクタから全て電圧信号として出力することができ、これにより２種類の信号種別のアナログ信号を１個の抵抗モジュール６Ｄ及び１個のＡ／Ｄ変換カード５によりデジタル信号に変換することができる。実施の形態４の場合と同様の効果を奏することができ、又、外線コネクタケーブル９１、・・・９ｎと抵抗モジュール６Ｃとの間のリード導体を省略することができ、更に、コネクタケーブルを省略することができるので、コストダウン及び省スペース化を図ることができる。
【符号の説明】
【００４３】
５    Ａ／Ｄ変換カード
５１、・・・５ｎ      Ａ／Ｄ変換回路
５１２、・・・５ｎ１    Ａ／Ｄ変換カードの入力側コネクタ
６、６Ａ、６Ｂ、６Ｃ、６Ｄ    抵抗モジュール
３１１、・・・３ｎ１、３１４、・・・３ｎ４    抵抗モジュールの入力側コネクタ
３１２、・・・３ｎ２、３１３、・・・３ｎ３    抵抗モジュールの出力側コネクタ
３１、・・・３ｎ    抵抗器
４１、・・・４ｎ    リード導体
７    コネクタタケーブル
７１    コネクタケーブルの第１のコネクタ
７２    コネクタケーブルの第２のコネクタ
８１、・・・８ｎ    スイッチ
９１、・・・９ｎ    外線コネクタケーブル
９０    外線コネクタケーブルのコネクタ
【図１】
2011172062.tif 000003
【図２】
2011172062.tif 000004
【図３】
2011172062.tif 000005
【図４】
2011172062.tif 000006
【図５】
2011172062.tif 000007
【図６】
2011172062.tif 000008